(57)【要約】  【課題】  残液や残血等をきれいにふき取ることができる医療用混注ポートを提供する。  【解決手段】  中央部に挿入孔の形成されたディスク状の弁１と、弁の裏側面の中央部を残して周縁下部を担持する台座７と、弁の表側面の中央部を残して少なくとも弁の周縁上部を覆って弁を拘持するカバー２とを備える。弁の中央部における肉厚が弁の周縁部における肉厚よりも厚く、カバー中央において隆起した隆起部を備え、ディスク状の弁を貫通して挿入された挿入体をその後離脱させたときに、隆起部の弾性復元力によって、カバー中央部の開口部を閉鎖する。【選択図】  図５
2004237134.tif 000002
【特許請求の範囲】
【請求項１】
中央部に挿入孔の形成されたディスク状の弁と、前記弁の裏側面の中央部を残して周縁下部を担持する台座と、前記弁の表側面の中央部を残して少なくとも前記弁の周縁上部を覆って前記弁を拘持するカバーとを備えた医療用混注ポートであって、
前記弁の中央部における肉厚が前記弁の周縁部における肉厚よりも厚く、前記カバー中央において隆起した隆起部を備え、
前記ディスク状の弁を貫通して挿入された挿入体をその後離脱させたときに、前記隆起部の弾性復元力によって、前記カバー中央部の開口部を閉鎖することを特徴とする医療用混注ポート。
【請求項２】
前記ディスク状の弁を貫通して挿入された挿入体を係止する係止手段を更に備えた請求項1に記載の医療用混注ポート。
【発明の詳細な説明】
【技術分野】
【０００１】
本発明は送液路外部から液を混注したり、逆に送液路内部から液を採取したりする際に、その操作を容易にかつ確実に行うために医療器具に装着される医療用混注ポートに関する。
【背景技術】
【０００２】
患者に輸液や輸血を行う場合に種類の異なる薬液を混注したり、送液路に流れる液をサンプル採取するため、主送液路に側注ラインを設けることが必要である場合が多い。このようなときに、従来は輸液セットの送液路にゴム製の穿刺用混注口（栓）を設けたものを使用し、混注口に注射針等を穿刺して混注していた。
【０００３】
しかし、このような方法では混注口の所定の穿刺部位以外から針を穿刺すると、その箇所から液漏れを起こしたり、あるいは作業ミス等により注射針を汚染したりする問題があった。そこで、混注口に挿入するルアー等（以下、「挿入体」という。）を混注口に固定・保持するために、最近では挿入体を保持できる混注口が考えられている。例えば、シリンジ先端の雄ルアー部を混注ポートに挿入すると、ルアーの押し込みによって弁が開放され液が注入できるようになり、混注口からルアーを抜くと弁が独りでに閉じるというような弁を装着した混注口である。
【０００４】
しかし、この混注口はルアー（挿入体）の弁への挿入時（弁開放）、抜去時（弁閉止）に関係なく、ルアーを混注口に保持する必要性があるため、以下のような様々な問題を有している。すなわち、第１に混注口のルアー受け部を深くする必要があり、かかる形状では弁からこぼれた液を除去できにくいため、不潔になり易い。また、ルアー受け部の深い混注口では弁にルアーが十分に挿入できていない状態で混注し始める可能性がある。その場合、混注する薬液が少量であると有効な量の薬液投与ができないことになる。第２に弁の構造が複雑になり、コストアップ要因となる。また、複雑な構造になるほど弁は故障し易くなる。
【０００５】
一方、従来のような簡単な（例えば、ディスク状の弾性部材にスリットを設けただけの弁を装着した）混注口では、シリンジのルアーを混注口に挿入しにくく、また挿入できたとしてもシリンジを混注口に確実に保持することが困難であった。従来、ディスク状の弁は弾性の大きい材料で形成され、肉厚の本体部に単に切れ込みが形成された簡単な構造であるために挿入時の抵抗が大きく、保持するときの弁の変形も大きいためである。しかし、挿入の際の抵抗を減少させるために、弁の弾性部材の肉厚を減らしたり、弾性の小さい材料を使用すると、今度は弁の逆止効果が低下して液漏れする恐れがある。
【０００６】
そこで、かかる問題点を解消すべく、中央部に挿入孔の形成されたディスク状の弁と、当該弁の裏側面の中央部を残して周縁下部を担持する台座と、当該弁の表側面の中央部を残し少なくとも弁の周縁上部を覆う弁を拘持するカバーとを備え、挿入体を挿入孔に差し込むとともに嵌合孔を形成するカバーの縁端部を用いて混注ポートに係止させる係止手段を有するといった、構造が簡単で、かつ挿入体の保持を確実に行うことができる医療用混注ポートが考えられている。
【０００７】
例えば、従来の医療用混注ポートの構造図を図１に示す。図１は、従来の医療用混注ポートの三面図であり、図１（ａ）は混注ポートの縦断面図を、図１（ｂ）は混注ポートの横断面Ｉ―Ｉにおける横断面図を、図１（ｃ）は混注ポートの平面図を、それぞれ示す。
【０００８】
図１において、１はディスク状の弁、２はカバー、３は挿入孔を示す。また、５は環状リブ、６は嵌合孔、７は台座、８は流路、９は鉤部を示し、弁１をカバー２の鉤部９と環状リブ５で挟持する構造となっている（特許文献１を参照）。
【特許文献１】特開平１１−１９７２５４号公報
【発明の開示】
【発明が解決しようとする課題】
【０００９】
しかし、上述したような医療用混注ポートにおいては、弁を挟持するためのカバーと弁との間にどうしても段差が生じることから、薬液や血液が弁上部に漏れだした場合に、きれいにふき取ることができないという問題点があった。
【００１０】
例えば、従来の医療用混注ポートにおける弁１の形状は、図２に示すようになる。図２は従来の医療用混注ポートにおける弁１の形状を示すものであり、図２（ａ）は平面図を、図２（ｂ）はII―II断面における横断面図である。
【００１１】
図２に示すように、弁１の中央部と周縁部においては、その肉厚が一致していることから、図３に示すように嵌合孔６を形成するカバー２の縁端部には必ず一定の段差部分１０が生じることになる。したがって、残液や残血等のふき取り時には、かかる段差の存在によって当該段差部分１０にふき残しが生じ、残液や残血等をきれいにふき取ることができないことになる。
【００１２】
かかる残液や残血等が生じることで、他の薬液との混入による人体への悪影響を回避するため、混注ポート自体の再利用性が著しく損なわれるとともに、特に残血による感染症対策上からも容易にふき取ることができることが強く要請されるものである。
【００１３】
本発明は、上記問題点を解消するべく、残液や残血等をきれいにふき取ることができる医療用混注ポートを提供することを目的とする。
【課題を解決するための手段】
【００１４】
本発明の医療用混注ポートは、中央部に挿入孔の形成されたディスク状の弁と、前記弁の裏側面の中央部を残して周縁下部を担持する台座と、前記弁の表側面の中央部を残して少なくとも前記弁の周縁上部を覆って前記弁を拘持するカバーとを備えた医療用混注ポートであって、前記弁の中央部における肉厚が前記弁の周縁部における肉厚よりも厚く、前記カバー中央において隆起した隆起部を備え、前記ディスク状の弁を貫通して挿入された挿入体をその後離脱させたときに、前記隆起部の弾性復元力によって、前記カバー中央部の開口部を閉鎖することを特徴とする。
【発明の効果】
【００１５】
本発明の医療用混注ポートによれば、弁の上面を残液や残血等が生じることなくきれいにふき取ることができるので、患者に対する輸血や輸液を行うに当たって、万一、不注意や誤操作等によって薬液や血液等が弁の上面に漏れ出したとしても、容易にふき取ることができ、衛生的にかつ安全に医療活動を行うことが可能となる。
【発明を実施するための最良の形態】
【００１６】
本発明の医療用混注ポートにおいて、好ましくは、前記ディスク状の弁を貫通して挿入された挿入体を係止する係止手段を更に備える。
【００１７】
以下、本発明の実施の形態にかかる医療用混注ポートについて、図面を参照しながら説明する。図４は、本発明の実施の形態にかかる医療用混注ポートにおける弁１の断面図を示す。図４において、ディスク状の弁である点においては図２と共通しているが、弁１の中央部における肉厚が周縁部における肉厚よりも厚い点において相違している。なお、中央部と周縁部とは、弁切り欠き部４を境界とするものとする。
【００１８】
図５は、本発明の実施の形態にかかる医療用混注ポートにおける弁１を混注ポートにカバー２によって装着したときの断面図である。図５に示すように、弁１の中央部における肉厚が厚いために、カバー２の嵌合孔６を覆うように弁１が装着される。すなわち、嵌合孔６を形成するカバー２の縁端部における肉厚と、弁１の中央部における肉厚と周縁部における肉厚との差を一致させることによって、カバー２と弁１の間に段差が生じないようにすることができる。
【００１９】
かかる構造にすることにより、カバー２と弁１との間に生じていた段差を解消することができることから、万一、薬液や血液が弁１の上面に漏れ出したとしても、それらを容易にふき取ることができ、段差によって生じる残液や残血等が生じることを未然に回避することが可能となる。
【００２０】
そして、残液や残血等が生じることなくきれいにふき取ることができることによって、患者に対する輸血や輸液を行うに当たって、万一、不注意や誤操作等によって薬液や血液が弁の上面に漏れだしたとしても、それらを容易にふき取ることができ、衛生的にかつ安全に医療活動を行うことが可能となる。
【００２１】
また、弁１の中央部における肉厚が周縁部における肉厚よりも相対的に厚くなっていることから、挿入体を差し込む際に弁１を押し下げる時の弁１の弾性による反力が強く、挿入体を奥まで差し込むことが困難になり、あるいは挿入体を保持することが困難になることも考えられる。
【００２２】
実験的には、図５に示すように、カバー２の縁端部における肉厚Ｄ1に対して、弁１の中央部における肉厚と弁１の周縁部における肉厚の差Ｄ2が６０％以上８０％以下である場合には、上記弊害が生じないことが確認されている。なお、本実験結果は、弁１の材質として合成イソブレンゴムを用いた場合の結果であるが、材質としては特にこれに限定されるものではなく、例えばシリコーンゴムや天然ゴム、ブチルゴム、ニトリルゴム等の合成ゴムに代表される硬度ＪＩＳ−Ａ：２０〜５５の範囲内である熱可塑性エラストマーを用いた場合であっても同様の効果が期待できる。
【産業上の利用可能性】
【００２３】
本発明の医療用混注ポートによれば、輸血や輸液を行うに当たって、万一、不注意や誤操作等によって薬液や血液等が弁の上面に漏れ出したとしても、容易にふき取ることができ、衛生的にかつ安全に医療活動を行うことが可能となる。
【図面の簡単な説明】
【００２４】
【図１】従来の医療用混注ポートの構造を示す三面図
【図２】従来の医療用混注ポートにおける弁の二面図
【図３】従来の医療用混注ポートにおける弁の組み込み断面図
【図４】本発明の実施の形態にかかる医療用混注ポートにおける弁の断面図
【図５】本発明の実施の形態にかかる医療用混注ポートにおける弁の組み込み断面図
【符号の説明】
【００２５】
１  弁（ディスク弁）
２  カバー
３  挿入孔（スリット）
４  弁切欠き部
５  環状リブ
６  嵌合孔
７  台座
８  流路（開口部）
９  鉤部
１０  段差部分
１１  凹部
【図１】
2004237134.tif 000003
【図２】
2004237134.tif 000004
【図３】
2004237134.tif 000005
【図４】
2004237134.tif 000006
【図５】
2004237134.tif 000007